(57)【要約】【課題】測定精度を向上可能な太陽電池のＩ−Ｖ特性の測定方法及び太陽電池を提供する。【解決手段】太陽電池１０のＩ−Ｖ特性の測定方法は、第１連結線４０Ａに電圧測定用プローブピン５１を当接させる工程と、複数の第１細線電極３０Ａのうち第１連結線４０Ａによって連結された細線電極を含む２以上の細線電極に、電気的に互いに接続された２以上の電流測定用プローブピン５０,５０…を当接させる工程と、受光面ＦＳに光を照射しながら、電圧測定用プローブピン５１によって、第１連結線４０Ａに電圧を印加する工程とを備える。第１連結線４０Ａの線幅は、第１細線電極３０Ａの線幅よりも大きい。【選択図】図２
2010182969.tif 000002
【特許請求の範囲】
【請求項１】
主面上において所定方向に沿ってそれぞれ形成される複数の細線電極と、前記主面上に形成され、前記複数の細線電極のうち少なくとも２本の細線電極を電気的に連結する連結線とを備える太陽電池のＩ−Ｖ特性の測定方法であって、
前記連結線に電圧測定用プローブピンを当接させる工程と、
前記複数の細線電極のうち前記連結線によって連結された細線電極を含む２以上の細線電極に、電気的に互いに接続された２以上の電流測定用プローブピンを当接させる工程と、
前記主面に光を照射しながら、前記Ｉ−Ｖ特性を測定する工程と
を備え、
前記連結線の線幅は、前記細線電極の線幅よりも広い
ことを特徴とする太陽電池のＩ−Ｖ特性の測定方法。
【請求項２】
配線材が接続される太陽電池であって、
主面と、
前記主面上において所定方向に沿ってそれぞれ形成される複数の細線電極と、
前記主面上に形成され、前記複数の細線電極のうち少なくとも２本の細線電極を電気的に連結する連結線と、
前記主面上に形成され、前記複数の細線電極を互いに電気的に接続する接続線と
を備え、
前記連結線の線幅は、前記接続線の線幅よりも大きい
ことを特徴とする太陽電池。
【請求項３】
前記連結線及び前記接続線は、前記第１主面のうち前記配線材が接続される接続領域に形成される
ことを特徴とする請求項２に記載の太陽電池。
【請求項４】
前記連結線及び前記接続線は、前記接続領域内で連結されている
ことを特徴とする請求項３に記載の太陽電池。
【発明の詳細な説明】
【技術分野】
【０００１】
本発明は、太陽電池のＩ−Ｖ特性の測定方法及び太陽電池に関する。
【背景技術】
【０００２】
太陽電池は、クリーンで無尽蔵に供給される太陽光エネルギーを直接電気エネルギーに変換することができるため、新しいエネルギー源として期待されている。
【０００３】
通常、太陽電池の製造工程では、いわゆる４端子測定法によって、太陽電池のＩ−Ｖ特性が測定される（例えば、特許文献１参照）。ここで、４端子測定法とは、太陽電池の受光面と裏面それぞれにおいて、集電電極に当接される複数本の電流測定用プローブピンと１本の電圧測定用プローブピンを用いる測定法である。具体的には、擬似太陽光を受光面に照射しながら、太陽電池に印加する電圧をスイープさせたときの電流と電圧の関係を測定することによって、太陽電池のＩ−Ｖ特性が測定される。
【０００４】
ここで、太陽電池は、受光面上において、複数本の細線電極と、複数本の細線電極に交差する接続用電極とを集電電極として備える。接続用電極は、太陽電池どうしを接続する配線材を接続するための電極であり、幅広に形成される。このような太陽電池では、Ｉ−Ｖ特性を４端子測定法によって測定する場合、複数本の電流測定用プローブピンと１本の電圧測定用プローブピンを接続用電極に当接させればよいので簡便である。
【０００５】
なお、接続用電極表面は、１本の電圧測定用プローブピンによる印加電圧によって等電位面となっており、接続用電極表面に当接される各電流測定用プローブピンどうしは短絡されている。
【０００６】
ところで、従来、受光面上に形成された複数本の細線電極だけを集電電極として有する第１の太陽電池と、受光面上に形成された複数本の細線電極と各細線電極を連結する細線状の連結線とを有する第２の太陽電池とが提案されている（特許文献２参照）。このような太陽電池によれば、幅広の接続用電極を形成する必要がないため、太陽電池の製造コストを低減することができる。
【先行技術文献】
【特許文献】
【０００７】
【特許文献１】特開２００６−１１８９８３号公報
【特許文献２】国際公開第２００８／０２３７９５号パンフレット
【発明の概要】
【発明が解決しようとする課題】
【０００８】
しかしながら、第１の太陽電池では、各細線電極どうしが電気的に接続されていないので、１本の電圧測定用プローブピンによって１本の細線電極に電圧を印加したとしても、全ての細線電極それぞれの表面を等電位面にすることはできない。
【０００９】
また、第２の太陽電池では、連結線が細線状であり電気抵抗が大きいため、電圧測定用プローブピンと各電流測定用プローブピンとの間に電位差が生じてしまう。その結果、太陽電池のＩ−Ｖ特性の測定精度が低下してしまうという問題があった。
【００１０】
本発明は、上述した状況に鑑みてなされたものであり、測定精度を向上可能な太陽電池のＩ−Ｖ特性の測定方法及び太陽電池を提供することを目的とする。
【課題を解決するための手段】
【００１１】
本発明の特徴に係る太陽電池のＩ−Ｖ特性の測定方法は、主面上において所定方向に沿ってそれぞれ形成される複数の細線電極と、主面上に形成され、複数の細線電極のうち少なくとも２本の細線電極を電気的に連結する連結線とを備える太陽電池のＩ−Ｖ特性の測定方法であって、連結線に電圧測定用プローブピンを当接させる工程と、複数の細線電極のうち連結線によって連結された細線電極を含む２以上の細線電極に、電気的に互いに接続された２以上の電流測定用プローブピンを当接させる工程と、主面に光を照射しながら、前記Ｉ−Ｖ特性を測定する工程とを備えることを要旨とする。
【００１２】
本発明の特徴に係る太陽電池は、配線材が接続される太陽電池であって、主面と、主面上において所定方向に沿ってそれぞれ形成される複数の細線電極と、主面上に形成され、複数の細線電極のうち少なくとも２本の細線電極を電気的に連結する連結線と、主面上に形成され、複数の細線電極を互いに電気的に接続する接続線とを備え、連結線の線幅は、接続線の線幅よりも大きいことを要旨とする。
【００１３】
本発明の特徴に係る太陽電池において、連結線及び接続線は、第１主面のうち配線材が接続される接続領域に形成されていてもよい。
【００１４】
本発明の特徴に係る太陽電池において、連結線及び接続線は、接続領域内で連結されていてもよい。
【発明の効果】
【００１５】
本発明によれば、測定精度を向上可能な太陽電池のＩ−Ｖ特性の測定方法及び太陽電池を提供することができる。
【図面の簡単な説明】
【００１６】
【図１】本発明の第１実施形態に係る太陽電池モジュールの側面図である。
【図２】本発明の第１実施形態に係る第１太陽電池の平面図である。
【図３】本発明の第１実施形態に係る連結線の構成を示す図である。
【図４】本発明の第１実施形態に係る第２太陽電池の平面図である。
【図５】本発明の第１実施形態に係るＩ−Ｖ特性の測定方法を説明するための模式図である。
【図６】本発明の第２実施形態に係る第１太陽電池１０の平面図である。
【発明を実施するための形態】
【００１７】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１８】
［第１実施形態］
（太陽電池モジュールの概略構成）
本発明の第１実施形態に係る太陽電池モジュール１００の概略構成について、図１を参照しながら説明する。図１は、第１実施形態に係る太陽電池モジュール１００の側面図である。
【００１９】
太陽電池モジュール１００は、太陽電池ストリング１、受光面側保護材２、裏面側保護材３及び封止材４を備える。太陽電池モジュール１００は、受光面側保護材２と裏面側保護材３との間に、太陽電池ストリング１を封止することにより構成される。
【００２０】
太陽電池ストリング１は、配列方向に従って配列された複数の太陽電池１０を複数の配線材２０によって互いに接続することにより構成される。
【００２１】
複数の太陽電池１０それぞれは、太陽光が入射する受光面ＦＳと、受光面の反対側に設けられる裏面ＢＳとを有する（図２、図４参照）。受光面ＦＳと裏面ＢＳとは、各太陽電池１０の主面である。複数の太陽電池１０は、第１太陽電池１０ａ及び第２太陽電池１０ｂとを含む。第１太陽電池１０ａと第２太陽電池１０ｂとは、配列方向に沿って交互に配列される。第１太陽電池１０ａと第２太陽電池１０ｂとの構成は同様であるが、それぞれの受光面ＦＳの極性が相違する。具体的には、第１太陽電池１０ａでは、ｐ型主面を受光面ＦＳとするのに対して、第２太陽電池１０ｂでは、ｎ型主面を受光面ＦＳとしている。第１太陽電池１０ａ及び第２太陽電池１０ｂそれぞれの構成については後述する。
【００２２】
複数の配線材２０それぞれは、隣接する２つの太陽電池１０を互いに電気的に接続する。複数の配線材２０は、第１配線材２０ａ及び第２配線材２０ｂを含む。第１配線材２０ａは、第１太陽電池１０ａの受光面と第２太陽電池１０ｂの受光面とに接続される。また、第２配線材２０ｂは、第１太陽電池１０ａの裏面と第２太陽電池１０ｂの裏面とに接続される。各配線材２０は、薄板状または縒り線状の銅、銀、金、錫、ニッケル、アルミニウム、或いはこれらの合金などの電気抵抗が低い材料によって構成されることが好ましい。なお、各配線材２０の表面には、鉛フリー半田（例えば、ＳｎＡｇ３．０Ｃｕ０．５）などの導電性材料がメッキされていてもよい。
【００２３】
受光面側保護材２は、封止材４の受光面側に配置されており、太陽電池モジュール１００の表面を保護する。受光面側保護材２としては、透光性及び遮水性を有するガラス、透光性プラスチック等を用いることができる。
【００２４】
裏面側保護材３は、封止材４の裏面側に配置されており、太陽電池モジュール１００の背面を保護する。裏面側保護材３としては、ＰＥＴ（Polyethylene Terephthalate）等の樹脂フィルム、Ａｌ箔を樹脂フィルムでサンドイッチした構造を有する積層フィルムなどを用いることができる。
【００２５】
封止材４は、受光面側保護材２と裏面側保護材３との間で太陽電池ストリング１を封止する。封止材４としては、ＥＶＡ、ＥＥＡ、ＰＶＢ、シリコン、ウレタン、アクリル、エポキシ等の透光性の樹脂を用いることができる。
【００２６】
なお、以上のような構成を有する太陽電池モジュール１００の外周には、Ａｌフレームなどを取り付けることができる。
【００２７】
（第１太陽電池の構成）
次に、第１実施形態に係る第１太陽電池１０ａの構成について、図２を参照しながら説明する。図２（ａ）は、第１太陽電池１０ａを受光面側から見た平面図である。図２（ｂ）は、第１太陽電池１０ａを裏面側から見た平面図である。
【００２８】
第１太陽電池１０ａは、図２に示すように、光電変換部２５、複数本の第１細線電極３０Ａ、複数本の第２細線電極３０Ｂ、第１連結線４０Ａ及び第２連結線４０Ｂを備える。
【００２９】
光電変換部２５は、ｐ型主面とｎ型主面とを有する。第１太陽電池１０ａでは、ｐ型主面が受光面ＦＳとされるとともに、ｎ型主面が裏面ＢＳとされている。受光面ＦＳのうち接続領域Ｒ１には第１配線材２０ａが接続され、裏面ＢＳのうち接続領域Ｒ２には第２配線材２０ｂが接続される。
【００３０】
光電変換部２５は、受光面ＦＳにおける受光により光生成キャリアを生成する。光生成キャリアとは、太陽光が光電変換部２５に吸収されて生成される正孔と電子とをいう。光電変換部２５は、ｎ型領域とｐ型領域とを有しており、ｎ型領域とｐ型領域との界面で半導体接合が形成される。光電変換部２５は、単結晶Ｓｉ、多結晶Ｓｉ等の結晶系半導体材料、ＧａＡｓ、ＩｎＰ等の化合物半導体材料などによって構成される半導体基板を用いて形成することができる。なお、光電変換部２５は、単結晶シリコン基板と非晶質シリコン層との間に実質的に真性な非晶質シリコン層を挟むことによりヘテロ結合界面の特性を改善した構造、いわゆるＨＩＴ構造を有していてもよい。
【００３１】
第１細線電極３０Ａは、光電変換部２５から正孔を収集する収集電極である。図２（ａ）に示すように、第１細線電極３０Ａは、ｐ型主面（受光面ＦＳ）上において、配列方向に略直交する直交方向に沿って形成される。第１細線電極３０Ａは、接続領域Ｒ１において第１配線材２０ａに直接接続されていてもよいし、導電性接着剤によって第１配線材２０ａと電気的に接続されていてもよい。第１細線電極３０Ａは、導電性ペーストなどを印刷することによって形成することができる。
【００３２】
第２細線電極３０Ｂは、光電変換部２５から電子を収集する収集電極である。図２（ｂ）に示すように、第２細線電極３０Ｂは、ｎ型主面（裏面ＢＳ）上において、直交方向に沿って形成される。第２細線電極３０Ｂは、接続領域Ｒ２において第２配線材２０ｂに直接接続されていてもよいし、導電性接着剤によって第２配線材２０ｂと電気的に接続されていてもよい。第２細線電極３０Ｂは、第１細線電極３０Ａと同様の導電性ペーストなどを印刷することによって形成することができる。なお、本発明は、裏面側の収集電極の本数及び形状を限定するものではない。裏面側の収集電極は、例えば、裏面ＢＳ全面を覆うように形成されていてもよい。
【００３３】
第１連結線４０Ａは、ｐ型主面（受光面ＦＳ）上において、複数本の第１細線電極３０Ａを電気的に連結する。具体的には、第１連結線４０Ａは、接続領域Ｒ１において３本の第１細線電極３０Ａと交差することによって、これらを連結している。第１連結線４０Ａは、第１配線材２０ａに直接接続されていてもよいし、導電性接着剤によって第１配線材２０ａと電気的に接続されていてもよい。第１連結線４０Ａは、第１細線電極３０Ａと同様の導電性ペーストなどを印刷することによって形成することができる。
【００３４】
第２連結線４０Ｂは、ｎ型主面（裏面ＢＳ）上において、複数本の第２細線電極３０Ｂを電気的に連結する。本実施形態では、第２連結線４０Ｂは、接続領域Ｒ２において３本の第２細線電極３０Ｂと交差することによって、これらを連結している。第２連結線４０Ｂは、第２配線材２０ｂに直接接続されていてもよいし、導電性接着剤によって第２配線材２０ｂと電気的に接続されていてもよい。第２連結線４０Ｂは、第１細線電極３０Ａと同様の導電性ペーストなどを印刷することによって形成することができる。
【００３５】
なお、第１連結線４０Ａ及び第２連結線４０Ｂは、後述するように、第１太陽電池１０ａのＩ−Ｖ特性の測定工程において、第１細線電極３０Ａ及び第２細線電極３０Ｂの表面に等電位面を形成するために用いられる。
【００３６】
ここで、図３は、第１連結線４０Ａ及び第２連結線４０Ｂの構成を示す部分拡大図である。具体的には、図３（ａ）は、図２（ａ）のＰ部分の拡大図であり、図３（ｂ）は、図２（ｂ）のＱ部分の拡大図である。
【００３７】
第１連結線４０Ａは、３本の第１細線電極３０Ａ１〜３０Ａ３と交差しており、３本の第１細線電極３０Ａ１〜３０Ａ３を互いに電気的に接続する。第１連結線４０Ａの両端部は、配列方向において２本に枝分れしており、幹部４０Ａ１と４本の枝部４０Ａ２とを有する。
【００３８】
また、第２連結線４０Ｂは、３本の第２細線電極３０Ｂ１〜３０Ｂ３と交差しており、３本の第２細線電極３０Ｂ１〜３０Ｂ３を互いに電気的に接続する。第２連結線４０Ｂは、配列方向に沿って形成される。
【００３９】
このように、第１連結線４０Ａの平面形状と第２連結線４０Ｂの平面形状は、互いに相違する。具体的には、第１連結線４０Ａの平面形状は「Ｘ状」であるのに対して、第２連結線４０Ｂの平面形状は「矩形状」である。
【００４０】
ここで、第１連結線４０Ａの線幅は、第１細線電極３０Ａの線幅よりも大きい。また、第２連結線４０Ｂの線幅は、第２細線電極３０Ｂの線幅よりも大きい。具体的には、第１連結線４０Ａの幹部４０Ａ１の線幅α１（例えば、０．５ｍｍ）は、枝部４０Ａ２の線幅α２（例えば、０．２５ｍｍ）よりも大きい。枝部４０Ａ２の線幅α２は、第１細線電極３０Ａの線幅β１（例えば、０．１ｍｍ）よりも大きい。また、第２連結線４０Ｂの線幅α３（例えば、０．５ｍｍ）は、第２細線電極３０Ｂの線幅β２（例えば、０．１ｍｍ）よりも大きい。
【００４１】
（第２太陽電池の構成）
次に、第１実施形態に係る第２太陽電池１０ｂの構成について、図４を参照しながら説明する。図４（ａ）は、第２太陽電池１０ｂを受光面側から見た平面図である。図４（ｂ）は、第２太陽電池１０ｂを裏面側から見た平面図である。
【００４２】
第２太陽電池１０ｂは、第１太陽電池１０ａと同様に、光電変換部２５、複数本の第１細線電極３０Ａ、複数本の第２細線電極３０Ｂ、第１連結線４０Ａ及び第２連結線４０Ｂを備える。
【００４３】
ただし、第２太陽電池１０ｂでは、ｎ型主面が受光面ＦＳとされるとともに、ｐ型主面が裏面ＢＳとされていることに留意すべきである。すなわち、第２太陽電池１０ｂでは、光電変換部２５が裏返されている。そのため、第１太陽電池１０ａでは、Ｘ状の第１連結線４０Ａが受光面ＦＳに露出するのに対して、第２太陽電池１０ｂでは、矩形状の第２連結線４０Ｂが受光面ＦＳに露出する。
【００４４】
（太陽電池モジュールの製造方法）
次に、本実施形態に係る太陽電池モジュール１００の製造方法について説明する。
【００４５】
（１）太陽電池の形成工程
まず、ｐ型主面とｎ型主面とをそれぞれ有する複数枚の光電変換部を準備する。
【００４６】
次に、スクリーン印刷法、オフセット印刷法等の印刷法を用いて、銀ペーストなどを光電変換部の両主面上に所定のパターンで塗布する。所定のパターンとは、光電変換部のｐ型主面では、図２（ａ）及び図４（ｂ）に示すパターンであり、光電変換部のｎ型主面では、図２（ｂ）及び図４（ａ）に示すパターンである。
【００４７】
次に、銀ペーストを所定条件で乾燥させることによって、複数の太陽電池１０が形成される。ｐ型主面を受光面ＦＳとするものが第１太陽電池１０ａであり、ｎ型主面を受光面ＦＳとするものが第２太陽電池１０ｂである。
【００４８】
（２）太陽電池のＩ−Ｖ特性の測定
次に、太陽電池１０のＩ−Ｖ特性の測定を行なう。以下、Ｉ−Ｖ特性の測定方法の一例として、いわゆる「４端子測定法」を例に挙げて説明する。
【００４９】
図５は、Ｉ−Ｖ特性測定装置２００の模式図である。図５に示すように、Ｉ−Ｖ特性測定装置２００は、一対の電流測定用プローブピン群５０,５０,…と一対の電圧測定用プローブピン５１,５１とを備える。
【００５０】
まず、複数本の第１細線電極３０Ａ（第１細線電極３０Ａ２を除く）及び複数本の第２細線電極３０Ｂ（第２細線電極３０Ｂ２を除く）それぞれに、一対の電流測定用プローブピン群５０,５０,…を当接させる。また、第１連結線４０Ａ及び第２連結線４０Ｂに、一対の電圧測定用プローブピン５１,５１を当接させる。第１連結線４０Ａの線幅α１は、第１細線電極３０Ａの線幅β１よりも広く、第２連結線４０Ｂの線幅α３は、第２細線電極３０Ｂの線幅β２よりも広い。
【００５１】
ここで、第１細線電極３０Ａ２に当接される電圧測定用プローブピン５１は、第１連結線４０Ａ及び電流測定用プローブピン群５０,５０,…を介して、他の第１細線電極３０Ａと電気的に接続される。また、第２細線電極３０Ｂ２に当接される電圧測定用プローブピン５１は、第２連結線４０Ｂ及び電流測定用プローブピン群５０,５０,…を介して、他の第２細線電極３０Ｂと電気的に接続される。
【００５２】
次に、太陽電池１０に擬似太陽光を照射しながら、一対の電圧測定用プローブピン５１,５１によって、第１細線電極３０Ａ２及び第２細線電極３０Ｂ２に電圧を印加する。この際、複数本の第１細線電極３０Ａそれぞれの表面には、電圧測定用プローブピン５１によって等電位面が形成される。同様に、複数本の第２細線電極３０Ｂそれぞれの表面にも、電圧測定用プローブピン５１によって等電位面が形成される。
【００５３】
次に、印加する電圧をスイープさせながら、電流と電圧を測定することによって、太陽電池１０のＩ−Ｖ特性を算出する。
【００５４】
そして、不所望なＩ−Ｖ特性を示す太陽電池１０を取り除いて次工程に進む。
【００５５】
（３）太陽電池ストリングの形成工程
次に、配列方向に沿って、第１太陽電池１０ａ及び第２太陽電池１０ｂを交互に配列する。そして、隣接する太陽電池１０どうしの連結線の平面形状が相違していることを確認する。
【００５６】
次に、第１配線材２０ａを、第１太陽電池１０ａの受光面と第２太陽電池１０ｂの受光面とに接続する。また、第２配線材２０ｂを、第１太陽電池１０ａの裏面と第２太陽電池１０ｂの裏面とに接続する。この際、第１配線材２０ａ及び第２配線材２０ｂを押し付けることによって、電極及び連結線を配線材２０に直接接続してもよい。配線材２０の接続には、熱硬化型の樹脂接着剤や半田などを用いることができる。
【００５７】
（４）モジュール化工程
次に、ガラス基板（受光面側保護材２）上に、ＥＶＡ（封止材４）シート、太陽電池ストリング１、ＥＶＡ（封止材４）シート及びＰＥＴシート（裏面側保護材３）を順次積層して積層体とする。
【００５８】
次に、上記積層体を所定条件で加熱することにより、ＥＶＡを硬化させる。以上により、太陽電池モジュール１００が作製される。なお、太陽電池モジュール１００には、端子ボックスやＡｌフレーム等を取り付けることができる。
【００５９】
（作用及び効果）
本実施形態において、太陽電池１０のＩ−Ｖ特性の測定方法は、第１連結線４０Ａに電圧測定用プローブピン５１を当接させる工程と、複数の第１細線電極３０Ａのうち第１連結線４０Ａによって連結された細線電極を含む２以上の細線電極に、電気的に互いに接続された２以上の電流測定用プローブピン５０,５０…を当接させる工程と、受光面ＦＳに光を照射しながら、電圧測定用プローブピン５１によって、第１連結線４０Ａに電圧を印加する工程とを備える。
【００６０】
ここで、第１連結線４０Ａの線幅は、第１細線電極３０Ａの線幅よりも大きいので、３本の第１細線電極３０Ａ１〜３０Ａ３間での電気抵抗は十分に小さく、電圧測定用プローブピン５１と電流測定用プローブピン群５０,５０との間で電位差が生じることを抑制できる。その結果、第１太陽電池１０ａの太陽電池特性の測定精度を向上することができる。
【００６１】
また、本実施形態では、第１連結線４０Ａは、接続領域Ｒ１に形成されるので、受光面積が低減することを抑制することができる。
【００６２】
以上の効果は、第１実施形態に係る第１太陽電池１０ａが備える第２連結線４０Ｂによっても同様に得ることができる。
【００６３】
また、本実施形態では、第１連結線４０Ａの平面形状と第２連結線４０Ｂの平面形状とが互いに相違する。従って、ｐ型主面を受光面ＦＳとする第１太陽電池１０ａと、ｎ型主面を受光面ＦＳとする第２太陽電池１０ｂとが交互に配列されていることを簡便に確認することができる。その結果、太陽電池モジュール１００の生産性を向上させることができる。
【００６４】
［第２実施形態］
以下において、本発明の第２実施形態について、図面を参照しながら説明する。以下においては、上記第１実施形態との相違点について主に説明する。具体的には、第２実施形態では、複数の第１細線電極３０Ａ及び複数の第２細線電極３０Ｂそれぞれは、互いに電気的に接続されている。  
【００６５】
（第１太陽電池の構成）
第２実施形態に係る第１太陽電池１０ａの構成について、図６を参照しながら説明する。図６（ａ）は、第１太陽電池１０ａを受光面側から見た平面図である。図２（ｂ）は、第１太陽電池１０ａを裏面側から見た平面図である。
【００６６】
第１太陽電池１０ａは、図６に示すように、第１接続線５０Ａ及び第２接続線５０Ｂを備える。
【００６７】
第１接続線５０Ａは、第１太陽電池１０ａの受光面ＦＳ上において、ジグザグ状に形成される。第１接続線５０Ａは、複数本の第１細線電極３０Ａを互いに電気的に接続する。第１接続線５０Ａは、受光面ＦＳの配列方向略中央において、第１連結線４０Ａに連結されている。
【００６８】
第１接続線５０Ａの線幅は、第１連結線４０Ａの幹部４０Ａ１の線幅α１（例えば、０．５ｍｍ）よりも小さい。また、第１接続線５０Ａの線幅は、枝部４０Ａ２の線幅α２（例えば、０．２５ｍｍ）と略同等、或いはそれ以下であってもよい。
【００６９】
第２接続線５０Ｂは、第１太陽電池１０ａの裏面ＢＳ上において、ジグザグ状に形成される。第２接続線５０Ｂは、複数本の第２細線電極３０Ｂを互いに電気的に接続する。第２接続線５０Ｂは、裏面ＢＳの配列方向略中央において、第２連結線４０Ｂに連結されている。
【００７０】
第２接続線５０Ｂの線幅は、第２連結線４０Ｂの線幅α３（例えば、０．５ｍｍ）よりも小さい。
【００７１】
ここで、第１接続線５０Ａ及び第２接続線５０Ｂの線幅は、配線材２０を接続するために一般的に設けられる接続用電極の線幅（例えば、約１．５ｍｍ）よりも小さい。なお、通常、接続用電極の線幅は、配線材２０ａの線幅と同等である。
【００７２】
（第２太陽電池の構成）
上述の通り、第２太陽電池１０ｂは、第１太陽電池１０ａの表裏を反転させた構成を有する。従って、図示しないが、第２太陽電池１０ｂは、受光面ＦＳ上に第２接続線５０Ｂを有し、裏面ＢＳ上に第１接続線５０Ａを有する。
【００７３】
（作用及び効果）
第２実施形態に係る第１太陽電池１０ａは、複数の第１細線電極３０Ａを電気的に接続する第１接続線５０Ａを有する。従って、第１配線材２０ａが第１太陽電池１０ａの受光面から剥離した場合であっても、電気的に孤立した第１細線電極３０Ａが発生しないようにすることができる。その結果、第１太陽電池１０ａの太陽電池特性が低下することを抑制できる。
【００７４】
また、第１接続線５０Ａの線幅は、配線材を接続するために一般的に用いられる接続用電極の線幅よりも小さい。従って、一般的な接続用電極を形成する場合に比べて、電極の構成材料である導電性材料と光電変換部２５との線膨張係数の違いによって生じる光電変換部２５の反りを抑制することができる。
【００７５】
また、第１接続線５０Ａと複数の第１細線電極３０Ａとは、例えば十字に交差している。従って、太陽電池１０のＩ−Ｖ特性の測定を行なう際に、第１接続線５０Ａと複数の第１細線電極３０Ａとの交点に電流測定用プローブピン群５０,５０,…を当接させることによって、電流測定用プローブピン群５０,５０,…と複数の第１細線電極３０Ａとの接続を安定させることができる。  なお、以上の効果は、第２接続線５０Ｂによっても同様に得られるものである。
【００７６】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７７】
例えば、上記実施形態では、第１連結線４０Ａは、受光面ＦＳの配列方向略中央に形成されることとしたが、受光面ＦＳの配列方向端部に形成されてもよい。この場合、第１配線材２０ａが接続領域Ｒ１の端部から剥離することを抑制することができる。
【００７８】
また、上記実施形態では、第１連結線４０Ａの形状と第２連結線４０Bの形状とが異なることとしたが、両者の形状は同じであってもよい。
【００７９】
また、上記実施形態では、第１連結線４０Ａは、３本の第１細線電極３０Ａを電気的に連結することとしたが、第１連結線４０Ａは、２本以上の第１細線電極３０Ａを電気的に連結していればよい。Ｉ−Ｖ特性の測定では、第１連結線４０Ａによって連結された第１細線電極３０Ａのうち一の第１細線電極３０Ａに電流測定用プローブピン５０を当接させ、第１連結線４０Ａによって連結された第１細線電極３０Ａのうち他の第１細線電極３０Ａに電圧測定用プローブピン５１を当接させればよい。同様に、第２連結線４０Ｂは、２本以上の第２細線電極３０Ｂを電気的に連結していればよい。
【００８０】
また、上記実施形態では特に触れていないが、連結線の高さは、細線電極の高さよりも高くてもよい。これによって、第１細線電極３０Ａ１〜第１細線電極３０Ａ３間の電気抵抗をより小さくすることができる。その結果、全ての第１細線電極３０Ａの表面により均一な等電位面を形成することができる。
【００８１】
また、上記実施形態では、第１太陽電池１０ａの受光面ＦＳの導電型と第２太陽電池１０ｂの受光面ＦＳの導電型とが異なることとしたが、両者の導電型は同じであってもよい。この場合、配線材２０は、第１太陽電池１０ａの受光面ＦＳと第２太陽電池１０ｂの裏面ＢＳとに接続される。
【００８２】
また、上記実施形態では、第１太陽電池１０ａ及び第２太陽電池１０ｂは、第１連結線４０Ａと第２連結線４０Ｂとを備えることとしたが、いずれか一方のみを備えていてもよい。この場合であっても、上記効果を得ることができる。
【００８３】
また、上記実施形態では、太陽電池１０は、裏面ＢＳ上にも複数の細線電極を有することとしたが、これに限られるものではない。例えば、裏面ＢＳ上には全面電極が形成されていてもよい。この場合、４端子測定法では、全面電極に１対の電流測定用プローブピン５０及び電圧測定用プローブピン５１を当接させればよい。
【００８４】
また、上記実施形態では、太陽電池１０のＩ−Ｖ特性の測定において、１本を除く全ての細線電極に電流測定用プローブピン群５０,５０,…を当接させることとしたが、これに限られるものではない。例えば、数本の細線電極毎に電流測定用プローブピン群５０を当接させることとしてもよい。
【００８５】
また、上記実施形態では、電圧測定用プローブピン５１に電圧を印加することによって太陽電池１０のＩ−Ｖ特性を測定することとしたが、電流測定用プローブピン５０に電流を印加することよってＩ−Ｖ特性を測定してもよい。
【００８６】
このように、本発明はここでは記載していない様々な実施形態等を含むことは勿論である。従って、本発明の技術的範囲は上記の説明から妥当な特許請求の範囲に係る発明特定事項によってのみ定められるものである。
【符号の説明】
【００８７】
１…太陽電池ストリング、２…受光面側保護材、３…裏面側保護材、４…封止材、１０…太陽電池、２０…配線材、２５…光電変換部、３０Ａ…第１細線電極、３０Ｂ…第２細線電極、４０Ａ…第１連結線、４０Ａ１…幹部、４０Ａ２…枝部、４０Ｂ…第２連結線、５０…電流測定用プローブピン、５１…電圧測定用プローブピン、１００…太陽電池モジュール、２００…Ｉ−Ｖ特性測定装置
【図１】
2010182969.tif 000003
【図２】
2010182969.tif 000004
【図３】
2010182969.tif 000005
【図４】
2010182969.tif 000006
【図５】
2010182969.tif 000007
【図６】
2010182969.tif 000008